【事件の表示】
　特許第３１２２５８４号「薬剤容器識別装置」の請求項１ないし３に係る特許に対する特許異議の申立てについて、次のとおり決定する。
【結　論】
　訂正を認める。
　特許第３１２２５８４号の請求項１ないし３に係る特許を取り消す。
【理　由】
１．手続の経緯
　特許第３１２２５８４号の請求項１乃至３に係る発明は、平成６年１１月２９日に特許出願され、平成１２年１０月２０日に特許権の設定登録がなされ、その後、異議申立人　村田元　よりその請求項１乃至３に係る発明についての特許に対し特許異議の申立てがなされ、取消理由通知がなされ、その指定期間内である平成１３年１２月１８日に訂正請求がなされたものである。
　
２．訂正の適否についての判断
２−１．訂正の内容
　特許権者が求めている訂正の内容は、
ａ−１．特許請求の範囲の請求項１の「送受信機能を有し、薬剤情報を格納するメモリチップ」を、「送受信機能を有し、薬剤情報を格納し、その薬剤情報を送信要求信号に応答して送信するメモリチップ」と訂正する。
ａ−２．明細書の【０００８】段落の「送受信機能を有し、薬剤情報を格納するメモリチップ」を、「送受信機能を有し、薬剤情報を格納し、その薬剤情報を送信要求信号に応答して送信するメモリチップ」と訂正する。
ｂ−１．特許請求の範囲の請求項１の「種々形状、大きさの異なる市販の薬剤容器に」を、「種々形状、大きさの異なる市販の円筒形の薬剤容器を調剤作業時に直立して置き、その外周面に」と訂正する。
ｂ−２．明細書の【０００８】段落の「種々形状、大きさの異なる市販の薬剤容器に」を、「種々形状、大きさの異なる市販の円筒形の薬剤容器を調剤作業時に直立して置き、その外周面に」と訂正する。
というものである。
　
２−２．訂正の目的の適否、新規事項の有無及び拡張・変更の存否
１）訂正事項ａ−１．について
　訂正事項ａ−１．は、願書に添付した明細書（以下、「特許明細書」という。）の特許請求の範囲の請求項１に記載された「メモリチップ」について「その薬剤情報を送信要求信号に応答して送信する」なる限定を加えるものであり、特許請求の減縮を目的とするものである。
　また、この訂正事項は、特許明細書の【０００９】段落の【作用】の記載のうち「識別装置などからの送信要求信号に応答してメモリチップから薬剤情報を送信させ、」なる記載、及び【００１８】段落の「識別装置３０からチップ１に対して送信要求信号を出力し、チップ１から薬剤情報を発信させる。」なる記載に基づくものであるから、特許明細書に記載の範囲内でするものであり、しかも、この訂正事項は、発明の課題に影響を及ぼすものでもないので、実質上発明を拡張し、又は変更するものでもない。
２）訂正事項ａ−２．について
　訂正事項ａ−２．は、訂正事項ａ−１．に伴い、明細書の発明の詳細な説明の記載を訂正するものであるから、明瞭でない記載の釈明を目的とするものである。
　そして、この訂正事項は、特許明細書に記載した事項の範囲内でするものであり、しかも、この訂正事項は、実質上発明を拡張し、又は変更するものでもない。
３）訂正事項ｂ−１．について
　訂正事項ｂ−１．は、特許明細書の特許請求の範囲の請求項１に記載された「薬剤容器」について「円筒形の」及び「調剤作業時に直立して置き」なる限定を加えると共に、同じく請求項１においてメモリチップの添付位置を「（薬剤容器）の外周面」に限定するものであり、特許請求の範囲の減縮を目的とするものである。
　また、薬剤容器が円筒形であること、及びメモリチップの添付位置が薬剤容器の外周面であることについては、特許明細書【００１３】段落の「上記メモリチップ１を薬剤容器に添付する添付手段は、図１及び図３に示すように、薬剤容器Ａの外周面に巻き付けられるバンド１０を使用しており、・・・薬剤容器Ａの径寸法が変化した場合でも任意の位置で・・・、バンド１０を結合できるようになっている。」なる記載、【図１】、【図３】及び【図５】から読みとれる事項である。そして、薬剤容器が調剤作業時に直立して置くものであることについては、特許明細書【０００２】段落前段、【０００９】段落後段及び【００１７】段落後段に記載された、処方箋の記載から指定の薬剤名を確認し、薬品棚上に載置された多数の薬剤容器の中から、指定の薬剤を収納する容器を取り出し、その容器から指定量の薬剤を秤量採取する作業、並びにその作業の一環としての、薬剤容器に対して添付手段を介してその内部の薬剤に対応した薬剤情報を格納したメモリチップを添付する作業、さらには調剤作業中に薬剤容器内部から薬剤が無くなった場合、その容器から添付手段を介してメモリチップを取外して別の薬剤容器に付け換える作業を含む調剤作業時において、薬剤容器を直立して置くことは通常行われていることであり、「この発明の識別方法を実施するための装置を示す構造図」（【図１】の説明）を示す【図１】も、調剤作業時に薬剤容器Ａが直立して置かれることを示しているものと認められる。
　よって、この訂正事項は、特許明細書に記載の範囲内でするものであり、しかも、この訂正事項は、発明の課題に影響を及ぼすものでもないので、実質上発明を拡張し、又は変更するものでもない。
４）訂正事項ｂ−２．について
　訂正事項ｂ−２．は、訂正事項ｂ−１．に伴い、明細書の発明の詳細な説明の記載を訂正するものであるから、明瞭でない記載の釈明を目的とするものである。
　そして、この訂正事項は、特許明細書に記載した事項の範囲内でするものであり、しかも、この訂正事項は、実質上発明を拡張し、又は変更するものでもない。
　
２−３．むすび
　以上のとおりであるから、上記訂正は、特許法等の一部を改正する法律（平成６年法律第１１６号。以下、「平成６年改正法」という。）附則第６条第１項の規定によりなお従前の例によるとされる、特許法第１２０条の４第３項において準用する平成６年改正法による改正前の特許法第１２６条第１項ただし書き及び第２項の規定に適合するので、当該訂正を認める。
　
３．特許異議申立てについての判断
３−１．本件発明
　本件の請求項１乃至３に係る発明（以下、「本件発明１」乃至「本件発明３」という。）は、訂正請求書に添付された明細書（以下、「訂正明細書」という。）の特許請求の範囲の請求項１乃至３に記載された次のとおりのものである。
「【請求項１】 送受信機能を有し、薬剤情報を格納し、その薬剤情報を送信要求信号に応答して送信するメモリチップと、上記メモリチップから発信される信号に基づいて薬剤容器内部の薬剤を識別する識別装置とを備え、種々形状、大きさの異なる市販の円筒形の薬剤容器を調剤作業時に直立して置き、その外周面に上記メモリチップを添付し得る添付手段を介して薬剤容器に着脱可能に上記メモリチップを付け換えるように構成して成る薬剤容器識別装置。
【請求項２】 前記添付手段をバンド、ひも、又は弾性リングのいずれかを用いて形成したことを特徴とする請求項１に記載の薬剤容器識別装置。
【請求項３】 前記メモリチップが、薬剤情報の書込み処理をし得るものとしたことを特徴とする請求項１又は２に記載の薬剤容器識別装置。」
　
３−２．引用刊行物に記載された事項
１）当審が通知した取消理由に引用した本件の出願前国内で頒布された刊行物である刊行物１（特公平３−５８７４３号公報）には、「薬品容器の識別装置」に関し、図面と共に下記の事項が記載されている。
「薬品容器１に取付けられ、送信要求信号に応答して容器識別コードを送信する発信器５と、前記送信要求信号を送信する送信器を有した前記識別コードを受信する受信器８とからなる薬品容器の識別装置。」（特許請求の範囲の請求項２）、
「この発明は・・・、散薬を収容した薬瓶や薬品を充填する薬瓶等の容器を正確に、かつ簡単に識別することができるようにした薬品容器の識別装置を提供することを技術的課題としている。」（第１頁第２欄２５行〜第２頁第３欄３行）、
「第１図に示すように、散薬名の薬品を収容する容器１の下部には、台座２が取付けられ、その台座２の下面に設けた凹部３内に・・・発信器５・・・が組込まれている。」（第２頁第３欄４３行〜同頁第４欄４行）、
「容器の識別に際して、実施例では第３図に示すように、受信器８からの信号を中央処理装置ＣＰＵの記憶部Ｍに入力し、予めＣＰＵの記憶部Ｍに記憶保存させてある各種の薬品名を演算部Ｏ及び制御部Ｃの選択制御機能により発信装置ｒにて音声信号として出力させる一方、ジャーナルプリントＰにおいて薬品名をプリントアウトしている。」（第２頁第４欄２７〜３４行）、及び
「受信器８に発信器５へ送信要求信号を送信する送信器を設けたものについて説明する。・・・このものは、調剤台のテーブル１２に送信器と受信器８を取付け、その送信器から出力される信号により、容器１に取付けた発信器５を動作させ、その発信器５からコード化された信号を受信器８に入力させるようにしてもよい。例えば調剤時、その送信器から送信要求信号として、前記テーブル１２と薬剤棚１１間の所定距離を到達エリアとする一定周波数の電磁波を送信しておく。一方、発信器５には、前記送信要求信号周波数を共振周波数とする共振回路を設けておき、この共振回路が前記信号を受信すると、発信器５内のマイクロチップから容器識別コード信号を前記共振回路を介して受信器８へ送信する。受信器８ではその信号により容器１の識別を行なう。調剤が終わり、容器１を再び薬剤棚１１へ戻すと発信器５は、送信要求信号を受信できなくなり、前記識別コード信号の送信を停止する。」（第２頁第４欄３５行〜第３頁第５欄１１行）
　また、第１図及び第２図からみて、薬品容器１は円筒形であることが窺える。
　これらのことからみて、刊行物１には、
『円筒形の薬品容器１の下部に取付けられた台座２内に設けられ、送信要求信号を受信し、該信号に応答して発信器５内のマイクロチップから容器識別コードを送信する発信器５と、前記送信要求信号を送信する送信器を有すると共に前記識別コードを受信する受信器８と、受信器８からの信号により前記識別コードに対応する薬品名を出力する中央処理装置を備えた薬品容器の識別装置。』
が記載されている。
２）同じく引用した本件の出願前国内で頒布された刊行物である刊行物２（実願平４−３４６２７号（実開平５−９０５３４号）のＣＤ−ＲＯＭ）には、「ＩＤタグ」に関し、図面と共に下記の記載がある。
「非接触信号を用いて、被識別物体の識別情報もしくは被管理物体の管理情報などの情報の書き込みと、その読み出しとが可能な機能を有するタグであって、上記非接触信号の伝送用の機能部品ならびに上記情報の書き込み・読み出し用の機能部品が実装された電子回路を備えているとともに、その電子回路が、可撓性高分子材料によって形成された環状の部材に装着されていることを特徴とするＩＤタグ。」（実用新案登録請求の範囲）
「本考案は、生産ライン等において、物品の識別情報や管理情報の書き込みと、その読み出しに利用されるＩＤタグに関する。」（ＣＤ−ＲＯＭ　第３頁４，５行、【０００１】段落）
「ＩＤタグは、無線通信とメモリ機能を有し、リーダ，ライタからの無線による指令コードによって内部メモリがアクセスされる応答器で、自動認識工業会(AIMJ)ではデータキャリアと呼ばれている。」（ＣＤ−ＲＯＭ　第３頁８〜１０行、【０００２】段落）
「ＩＤタグの特徴としては、一般に多用されているバーコードと比較して、大容量の情報の読み出しが可能である点、また、情報の書き込み・書き換えが容易であるといった長所がある反面、ＩＣ等の電子部品によって構成されるためコストが高いといった欠点がある。」（ＣＤ−ＲＯＭ　第３頁２１〜２４行、【０００５】段落）
「本考案は・・・、物品などへの取り付け・取り外しが容易な構造のＩＤタグを提供することを所期の目的としている。」（ＣＤ−ＲＯＭ　第４頁２，３行、【０００７】段落）
「環状の部材２を引き延ばして外方へと押し広げ、その環を物品に嵌め込むことで、例えば図３に示すように、環状の部材２を物品（鋼管）２０の外周に装着できる。また、この装着状態から、環状の部材２を引き延ばすことによって、物品２０への締付けを解除できるので、この物品２０からの取り外しも容易に行うことができる。」（ＣＤ−ＲＯＭ　第４頁１３〜１７行、【０００９】段落）
「本考案実施例では、図２に示した構造の電子回路１を、環状の部材２の内部に埋め込んでいる。この環状の部材２は、円形断面が真円上に沿って一様に連続するドーナッツ形状で、その材料としては、シリコーンゴム等の可撓性を有する高分子材料が使用される。」（ＣＤ−ＲＯＭ　第５頁９〜１２行、【００１２】段落）
３）同じく引用した本件の出願前国内で頒布された刊行物である刊行物３（実願平４−３４６２６号（実開平５−９２８６９号）のＣＤ−ＲＯＭ）には、「ＩＤタグ」に関し、図面と共に下記の記載がある。
「非接触信号を用いて、被識別物体の識別情報もしくは被管理物体の管理情報などの情報の書き込みと、その読み出しとが可能な機能を有するタグであって、上記非接触信号の伝送用の機能部品ならびに上記情報の書き込み・読み出し用の機能部品が実装された電子回路と、この電子回路を保持するバンドを備えているとともに、このバンドには、長手方向の一端側と他端側との繋ぎ合わせ、もしくはその切離しを自在に行うための部材が設けられていることを特徴とするＩＤタグ。」（実用新案登録請求の範囲）
「本考案は、クリーニング業界において、衣服等の洗濯物を管理するのに用いるタグに関する。」（ＣＤ−ＲＯＭ　第４頁４，５行　【０００１】段落）
「洗濯物の形状は多種・多様であるので、その取り付け位置が洗濯物ごとに異なるといった特異性があ」（ＣＤ−ＲＯＭ　第４頁２４，２５行　【０００５】段落）ること。
「物体認識の自動化技術の一つの手法として、無線通信とメモリ機能を有し、リーダ，ライタからの無線による指令コードによって内部メモリがアクセスされる構造の、いわゆるＩＤタグを用いた技術が実用化されつつあるが、このようなＩＤタグは、現状では、形状がカード状や円柱状で、しかも物品等に接着剤で貼着する構造のものしか存在しておらず、そのようなＩＤタグを、洗濯物の情報認識に利用するとことは、現段階では困難である。」（ＣＤ−ＲＯＭ　第５頁２〜７行　【０００６】段落）
「本考案は・・・、その目的とすることろは、洗濯物などの物品への取り付け・取り外しが可能の構造のＩＤタグを提供することにある。」（ＣＤ−ＲＯＭ　第５頁９〜１１行　【０００７】段落）
「本考案実施例では、図２に示した構造の電子回路１を、図１に示すように、可撓性材料製のバンド２の内部に埋め込んでいる。このバンド２は、その一端部に結束用のバックル３が装着されたもので、一般に利用されている電線などの結束用のバンドと同様な構造のものである。」（ＣＤ−ＲＯＭ　第６頁１７〜２０行【００１２】段落）
「電子回路１を保持するバンドとしては、図１に示した構造のほか、例えば図４(a) ，(b) に示すように、球形の掛かり部４２ａ・・４２ａが一定のピッチで設けらたバンド部４２と、その掛かり部４２ａを引っ掛けるバックル４３によって構成されるもの、あるいは図５(a) ，(b) に示すように、鋸刃状の掛かり部５２ａ・・５２ａが形成されたバンド部５２とバックル５３によって構成されるものなど、包装用分野あるいは電装分野等において一般に利用されている他の同等の機構の結束用バンドと代替できることは勿論である。」（ＣＤ−ＲＯＭ　第７頁１４〜２０行【００１６】段落）
　
３−３　対比、判断
１）本件発明１について
　そこでまず、本件発明１（前者）と刊行物１に記載されたもの（後者）とを対比すると、後者の、マイクロチップを内設した「発信器５」、「台座２」、「薬品容器１」は、それらの機能からみて、各々、前者における「メモリチップ」、「添付手段」、「薬剤容器」に相当する。さらに、後者は「容器識別コード」に対応する薬品名を「中央処理装置」から出力するものであるのに対し、前者は、本件訂正明細書【００２１】段落に「メモリチップ１が固有の識別コードだけを発信できるようにし、識別装置３０側にその識別コードと各種薬剤情報との対応や、処方箋内容との識別、識別結果の表示機能などをもたせるようにしてもよい。」なる記載があることからみて、後者の「容器識別コード」は前者における「薬剤情報」に相当し、後者の「中央処理装置」は前者における「識別装置」に相当すると認められる。
　してみると、両者は、
「送受信機能を有し、薬剤情報を格納し、その薬剤情報を送信要求信号に応答して送信するメモリチップと、上記メモリチップから発信される信号に基づいて薬剤容器内部の薬剤を識別する識別装置とを備え、円筒形の薬剤容器に上記メモリチップを添付し得る添付手段を介して上記メモリチップを添付して成る薬剤容器識別装置。」
で一致し、
ア．前者は、「種々形状、大きさの異なる市販の」薬剤容器を「調剤作業時に直立して置き、その外周面」に添付手段を介して「薬剤容器に着脱可能に」メモリチップを「付け換えるように構成」したものであるのに対し、後者は、薬剤容器について、種々形状、大きさの異なる市販のものであること及び調剤作業時に直立して置くことの特定はなく、また、メモリチップについても、薬剤容器の下部に添付するものであり、薬剤容器に添付手段を介して着脱可能に付け換えることの特定がない点、
で相違する。
　そこで、相違点ア．について検討すると、刊行物２及び３には、非接触信号を用いて、被識別物体の識別情報もしくは被管理物体の管理情報などの情報の書き込みと、その読み出しとが可能な機能を有するＩＤタグであって、上記非接触信号の伝送用の機能部品ならびに上記情報の書き込み・読み出し用の機能部品が実装された電子回路を環状の部材又はバンドに保持させて、被識別物体もしくは被管理物体に着脱可能に付け換えるように構成したものが記載されている。
　刊行物２及び３に記載のものの「電子回路」は、送信要求信号に応答して情報を送信するものであるか否かは定かでないが、送受信機能を有し、被識別物体の識別情報もしくは被管理物体の管理情報などの情報を格納し、格納された情報を送信するものであるといえる。そして、刊行物２及び３には、本件発明１における「添付手段」に相当する「環状の部材」又は「バンド」を介して、例えば生産ラインにおける鋼管やクリーニング業界における洗濯物等の種々の被識別物体、あるいは被管理物体に対して、上記「電子回路」を着脱可能に付け換えることが示されている。
　しかも、刊行物２には、ＩＤタグの使用方法の一例としてＩＤタグを鋼管に装着することが記載されており、ＩＤタグの装着法として記載された、可撓性高分子材料によって形成された環状の部材を引き延ばして外方へ押し広げ、その環を物品に嵌め込むことで鋼管の外周に装着し、この装着状態から、環状の部材を引き延ばすことによって、鋼管への締付けを解除し、鋼管から取り外す旨の記載からみて、刊行物２に記載された環状の部材は、該部材を形成する可撓性高分子材料の特性等からその範囲には制約があるものの、形状、大きさが異なる鋼管の外周に装着可能であることが窺える。また、刊行物３には、ＩＤタグをクリーニング業界における洗濯物の管理に使用することが記載されており、ＩＤタグを装着する洗濯物の形状が多種・多様であることが記載されている。そして、刊行物３に記載されたバンドの形状からみて、このバンドは、形状、大きさの異なる部位に対して装着可能であることが窺える。
　よって、刊行物２及び３に記載された電子回路の添付手段は、種々の形状、大きさの物品に対して電子回路を添付することが可能なものであるということができる。
　また、薬剤が、種々の形状、大きさを有し、直立して置くことのできる薬剤容器に入れて市販されていることは、本件の出願前周知の事項である。
　これらのことからみて、刊行物１に記載された薬剤容器識別装置において、メモリチップの添付手段として刊行物２及び３に記載された手段を採用すると共に、薬剤容器として市販のものをそのまま用いて、種々形状、大きさの異なる市販の薬剤容器に、薬剤容器に添付手段を介して着脱可能にメモリチップを付け換えるように構成することは、当業者にとって容易に想到し得たことである。
  その際、薬剤容器を調剤作業時に直立して置くことは、本件の出願前普通に行われていたことにすぎず、また、メモリチップの添付位置を薬剤容器の外周面とすることは、当業者が必要に応じて適宜為し得たことである。
　そして、市販の薬剤容器を直接識別作業に使用でき、メモリチップを複数の種々形状、大きさの異なる薬剤容器に対して繰り返し利用することができるため、識別作業の大幅な効率向上を図ることができる、という訂正明細書に記載された効果は、刊行物１乃至３に記載された事項から当業者が予測し得たものであって、格別なものとはいえない。さらに、メモリチップの添付位置を薬剤容器の外周面としたことにより、当業者が予測し得ない格別な効果が奏されたものとも認められない。
　よって、本件発明１は、刊行物１乃至３に記載された発明に基いて当業者が容易に発明をすることができたものである。
２）本件発明２について
　本件発明２と刊行物１に記載されたものとを対比すると、両者は、上記１）で述べた点で一致し、上記１）で述べたア．の点で相違するとともに、
イ．前者は、添付手段をバンド、ひも、又は弾性リングのいずれかを用いて形成したのに対し、後者は、かかる点について特定がない点、
で相違する。
　相違点ア．については上記１）で検討したとおりであるから、相違点イ．について検討すると、刊行物２には、添付手段を「可撓性高分子材料によって形成された環状の部材」即ち「弾性リング」で構成することが、また刊行物３には、添付手段をバンドで構成することが記載されている。
　そして、本件発明２において、添付手段を上記のものに特定したことにより、当業者が予測し得ない格別な効果が奏されたものとも認められない。
　したがって、本件発明２は、刊行物１乃至３に記載された発明に基いて、当業者が容易に発明をすることができたものである。
３）本件発明３について
　本件発明３と刊行物１に記載されたものとを対比すると、両者は、上記１）で述べた点で一致し、上記１）で述べたア．の点、又は上記１）で述べたア．の点及び上記２）で述べたイ．の点で相違するとともに、
ウ．前者は、メモリチップが、薬剤情報の書込み処理をし得るものとしたのに対し、後者は、かかる点について特定がない点、
で相違する。
　相違点ア．については上記１）で、相違点イ．については上記２）で検討したとおりであるから、相違点ウ．について検討する。
　刊行物２及び３には、電子回路が、被識別物体の識別情報もしくは被管理物体の管理情報などの情報を書込み可能なものである旨記載されている。
　よって、刊行物１に記載された薬剤容器識別装置において、メモリチップに薬剤情報を書込み処理し得るようにすることは、当業者が必要に応じて為し得た事項にすぎない。
　そして、本件発明３において、メモリチップを薬剤情報の書込み処理をし得るものとしたことにより、当業者が予測し得ない格別な効果が奏されたものとは認められない。
　したがって、本件発明３は、刊行物１乃至３に記載された発明に基いて、当業者が容易に発明をすることができたものである。
　
３−４．むすび
　以上のとおりであるから、本件発明１乃至本件発明３は、特許法第２９条第２項の規定により特許を受けることができない。
　したがって、本件発明１乃至本件発明３についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年５月２８日（２００２．５．２８）
【訂正の要旨】
訂正の要旨
　審決（決定）の【理由】欄参照。
（５４）【発明の名称】
薬剤容器識別装置
（５７）【特許請求の範囲】
　【請求項１】　送受信機能を有し、薬剤情報を格納
し、その薬剤情報を送信要求信号に応答して送信
円筒形の
を調剤作業時に直立して置き、その外周面
　【請求項２】　前記添付手段をバンド、ひも、又は弾性リングのいずれかを用いて形成したことを特徴とする請求項１に記載の薬剤容器識別装置。
　【請求項３】　前記メモリチップが、薬剤情報の書込み処理をし得るものとしたことを特徴とする請求項１又は２に記載の薬剤容器識別装置。
【発明の詳細な説明】
　【０００１】
　【産業上の利用分野】
　この発明は、薬剤情報信号に基づいて薬剤容器内部の薬剤を識別する薬剤容器識別装置に関する。
　【０００２】
　【従来の技術】
　薬局における調剤作業は、処方箋の記載から指定の薬剤名を確認し、薬品棚上に載置された多数の薬剤容器の中から、指定の薬剤を収納する容器を取り出し、その容器から指定量の薬剤を秤量採取する方法で行なわれる。このような調剤作業における薬剤選出時の間違い等を無くす手段として、従来、特公平３−５８７４３号により提案された方法がある。
　【０００３】
　これは、薬剤容器の底部に取付ける受け台の内部に、発信器とそれを作動させる移動センサを組込み、その発信器から送信される識別コードに基づいて薬剤容器を識別し、容器内部の薬剤を識別するようにしている。
　【０００４】
　【発明が解決しようとする課題】
　上記提案の方法では、確かに薬剤容器を識別することができるが、発信器を有する受け台に薬剤容器の底面を嵌め込んで一体に連結する必要があるため、薬剤容器の形状や寸法は受け台の上面形状に対応したものにする必要がある。ところが、市販されている薬剤容器は、寸法や形状に標準化されたものがなく、同じ薬剤を収容する容器でも販売会社ごとに形状や大きさが様々に異なっており、このため、一定形状に形成された受け台に市販の薬剤容器を直接嵌め込むことが出来ない場合が多い。
　【０００５】
　このため、市販の薬剤容器を識別するためには、上記受け台の上面形状に対応して形成した専用の容器に、市販の薬剤容器から薬剤を移し替え、その専用の容器を用いて識別する必要があったが、このような薬剤移し替えの作業は、作業の都度容器の洗浄や殺菌が必要になるため、余分な手間がかかり、作業能率を低下させる問題がある。加えて、専用容器の内部の薬剤が無くなるごとに、市販の容器からの移し替えを繰り返す必要があるため、効率が悪い。
　【０００６】
　また、薬剤容器の底面に装着される受け台は、比較的大きな形状をもつために、検薬する薬剤の種類等に応じて多数準備した場合、その収納に大きなスペースが必要になる不具合がある。
　【０００７】
　この発明は、上記の問題を解決し、市販の薬剤容器を直接識別作業に使用することができ、薬剤情報を発信する部材にもほとんどスペースを必要としない識別方法を提供することを目的としている。
　【０００８】
　【課題を解決するための手段】
　この発明は、上記の課題を解決するため、送受信機能を有し、薬剤情報を格納
し、その薬剤情報を送信要求信号に応答して送信
円筒形の
を調剤作業時に直立して置き、その外周面
　【０００９】
　【作用】
　上記の識別装置においては、薬剤情報を格納したメモリチップを市販の薬剤容器に添付し、識別装置などからの送信要求信号に応答してメモリチップから薬剤情報を送信させ、その信号に基づいて薬剤容器内部の薬剤を識別する。薬剤容器内部から薬剤が無くなった場合は、その容器から添付手段を介してチップを取外して別の薬剤容器に付け換え、上記識別作業を繰り返す。この場合、薬剤容器は形状、大きさの異なるものに付け換えてもよい。
　【００１０】
　上記メモリチップとしては、カプセルの内部にアンテナや読み書き可能なメモリを封入したトランスポンダ等を利用することができる。チップに格納する薬剤情報としては、薬品名や調剤上の注意書き、調剤量の目安などの薬剤データがあり、その他に発行年月日等の事項を入れるようにしてもよい。チップを薬剤容器に取付ける添付手段には、容器に巻き付けるバンドやひも、或いは弾性リングのいずれかを用いて形成したものとすることができる。
　【００１１】
　【実施例】
　以下、この発明の実施例を添付図面に基づいて説明する。図２は、薬剤情報を格納するメモリチップを示しており、このメモリチップ１は、硬質ガラス製のチューブ状ケース２の内部に、フェライトアンテナ３と、メモリとしてのＣ−ＭＯＳ　ＩＣチップ４、及び電源用コンデンサ５を組込んで形成され、全体としてカプセル状をしたトランスポンダが使用される。
　【００１２】
　上記ＩＣチップ４には、ＩＤ用ＲＡＭメモリと、通信に必要な制御回路等が形成され、送受信電波によってメモリにコード化した薬剤情報の読み出しと書込みが繰り返し行なえるようになっている。また、電源用コンデンサ５は、受信電波から電力を得てＩＣチップ４に供給する機能があり、チップ１の無電源化を図っている。
　【００１３】
　上記メモリチップ１を薬剤容器に添付する添付手段は、図１及び図３に示すように、薬剤容器Ａの外周面に巻き付けられるバンド１０を使用しており、そのバンド１０の一方の端部に、カプセル状のチップ１が着脱自在に挿入される装着孔１１を設けている。上記バンド１０の裏面には、容器Ａに巻き付けたバンドの端部を接合する面ファスナ１２が取付けられている。この面ファスナ１２の雌部材１３は、バンド１０の長さ方向に縦長に形成され、薬剤容器Ａの径寸法が変化した場合でも任意の位置で雄部材１４と係合し、バンド１０を結合できるようになっている。
　【００１４】
　薬剤容器内部の薬剤を識別するための装置は、図１に示すように、発信・受信アンテナ２０と、入力制御装置２１、及び識別装置３０とから構成されている。上記入力制御装置２１は、メモリチップ１に対する読取りと書込機能を備え、図４に示すようにＲＦモジュール２２とコントロールモジュール２３とから形成されている。
　【００１５】
　上記コントロールモジュール２３は、送受信用のデコード回路２４を有し、書込み時に、データベース等から送られる出力信号をチップ１との間で決められたデータ書込み用通信手順に従った送信信号に変換し、その信号をＲＦモジュール２２が所定の周波数に変調してアンテナ２０から送信する。また、読取り時は、アンテナ２０が受信したチップ１からの送信信号をＲＦモジュール２２が復調し、その信号をコントロールモジュール２３がデジタル信号に変換して識別装置３０へ出力する。
　【００１６】
　一方、識別装置３０は、入力手段３１とディスプレイ等の表示手段３２とを備えた制御用コンピュータから成っており、処方箋に基づいて導入される薬剤名や患者名、調剤量などの薬剤情報に関するデータベースを有している。この識別装置３０は、チップ１に対して送信要求信号を出力する共振回路を備えており、チップ１からの送信信号が入力されると、その送信された薬剤情報とデータベースに収納された処方箋の記載内容とを比較し、比較結果に基づいて表示をするように構成されている。
　【００１７】
　次に、上記のチップ１や識別装置３０を用いて薬品容器内部の薬剤を検薬する方法を説明する。調剤の作業前に、複数のチップ１に対して入力制御装置２１から薬剤情報の書込み処理を行ない、各チップ１に対してそれぞれ処方箋の指定薬剤に対応した薬剤情報を格納させる。調剤作業においては、薬剤情報を格納したチップ１を添付用バンド１０の孔１１に挿入し、そのバンド１０を市販の薬剤容器Ａに巻き付け、薬剤容器Ａに対してその内部の薬剤に対応した薬剤情報をもつメモリチップ１を添付する。
　【００１８】
　薬剤の識別は、メモリチップ１を添付した薬剤容器Ａを薬品棚から取り出すと、識別装置３０からチップ１に対して送信要求信号を出力し、チップ１から薬剤情報を発信させる。識別装置３０は、チップ１からの送信信号を受けると、その薬剤情報の薬剤が処方箋の指定薬剤かどうかを判断すると共に、薬剤情報の内容をディスプレイの画面等に表示させる。
　【００１９】
　作業者は、この表示内容に基づいて取り出した市販の薬剤容器Ａが処方箋の指定薬剤かどうかの正否を知ることができると共に、表示された情報に基づいて患者や調剤量を知り、調剤作業を進めることができる。
　【００２０】
　一方、薬剤容器Ａ内部の薬剤が無くなった場合は、バンド１０をその容器Ａから取り外し、新しい薬剤容器Ａに巻き付けて上記作業を繰り返す。このようにバンド１０を薬剤容器に対して付け換えることにより、どのような市販の薬剤容器Ａでも連続して識別作業に使用することができる。
　【００２１】
　なお、上記の実施例では、入力制御装置２１を用いて各メモリチップ１に薬剤名や調剤量等の薬剤情報を書込むようにしたが、メモリチップ１が固有の識別コードだけを発信できるようにし、識別装置３０側にその識別コードと各種薬剤情報との対応や、処方箋内容との識別、識別結果の表示機能などをもたせるようにしてもよい。これにより、入力制御装
置
　【００２２】
　図５は他の各種の実施例を示しており、図５（ａ）の例は、メモリチップ１を平板形状のものとし、そのメモリチップ１を薬剤容器Ａに取付ける添付手段を、容器Ａの首部分に巻き付けられるリング状のひも４０にしたものである。また、図５（ｂ）の例では、添付手段をゴムなどから成る弾性のリング４１とし、メモリチップ１を弾性力で薬剤容器Ａに取付けている。図５（ｃ）の例は、平板形状のメモリチップ１を、両者接着テープ４２を用いて薬剤容器Ａの表面に取付けたものである。
　【００２３】
　図６の実施例は、容器のキャップＢにメモリチップ１を取付け、そのキャップ１を複数の薬剤容器Ａ、Ａ′、Ａ″に対して着脱自在につけ換えるようにしたものである。このようにキャップＢをメモリチップ１の添付手段として用いることにより、薬剤容器に対するメモリチップの確実な着脱を可能にする利点がある。
　【００２４】
　【効果】
　以上のように、この発明は、メモリチップを種々形状、大きさの異なる薬剤容器に添付し得る添付手段を用いて薬剤容器に着脱自在に取付け、そのチップの信号に基づいて薬剤を識別するので、市販の薬剤容器を直接識別作業に使用でき、メモリチップを複数の種々形状、大きさの異なる薬剤容器に対して繰り返し利用することができる。したがって、市販の薬剤容器から専用の容器への薬剤の移し替えが不要になり、識別作業の大幅な効率向上を図ることができる。
【図面の簡単な説明】
　【図１】
この発明の識別方法を実施するための装置を示す構造図
　【図２】
メモリチップを示す一部切欠斜視図
　【図３】
添付用バンドを示す斜視図
　【図４】
（ａ）（ｂ）はそれぞれメモリチップと入力制御装置間の信号送受を示すブロック図
　【図５】
（ａ）（ｂ）（ｃ）はそれぞれ他の実施例を示す斜視図
　【図６】
他の実施例を示す図
　【符号の説明】
　１　メモリチップ
　３　アンテナ
　４　ＩＣチップ
　１０　添付用バンド
　１１　チップ挿入孔
　１２　面ファスナ
　２０　送信・受信用アンテナ
　２１　入力制御装置
　３０　識別装置
　４０　ひも
　４１　リング
　４２　接着テープ
　Ａ　薬剤容器
　Ｂ　キャップ